(57)【要約】【課題】矩形状シートの裏面側に補強ベルトを縫い目のない状態で設けることにより、矩形状シートの防水性を維持することができる簡易担架を提供する。【解決手段】四隅部と長さ方向の略中央部で両側縁の位置にそれぞれ把手ベルト３と４を設けた防水性のある矩形状シート２の裏面側で長さ方向の略中央部の位置に、その両端が両側縁の把手ベルト４に達する補強ベルト５を、矩形状シート２の裏面側と遊離した状態で設け、矩形状シート２の人が載る部位に全く縫い目の発生を無くしている。【選択図】図１
2005279184.tif 000002
【特許請求の範囲】
【請求項１】
防水性のある矩形状シートの四隅部と長さ方向の略中央部で両側縁の位置にそれぞれ把手ベルトを設け、前記矩形状シートの裏面側で長さ方向の略中央部の位置に、その両端が両側縁の把手ベルトに達する補強ベルトを、矩形状シートの裏面側と遊離した状態で設けた簡易担架。
【請求項２】
上記した各把手ベルトは、ベルトの両端を矩形状シートに縫着してリング状に形成され、上記補強ベルトは、矩形状シートの裏面側に二本が間隔をおいて並列する配置となり、各補強ベルトが両側把手ベルトの対応する端部間に位置し、その両端が矩形状シートの側部に縫着されている請求項１に記載の簡易担架。
【請求項３】
上記矩形状シートは、不織布の裏面にフイルム層を設けて形成されている請求項１又は２に記載の簡易担架。
【発明の詳細な説明】
【技術分野】
【０００１】
この発明は、感染予防を推進する使い捨てタイプで折りたたみ式の簡易担架に関する。
【背景技術】
【０００２】
病人やけが人を搬送する担架として、使い捨てタイプで折りたたみ式の簡易担架は既に提案されている。
【０００３】
従来の簡易担架は、折り畳み可能となる矩形状シートの四隅部と長さ方向の略中央部で両側縁の位置にそれぞれ把手ベルトを縫着して設け、更に、矩形状シートの裏面側で長さ方向の略中央部の位置に、その両端が両側縁の把手ベルトに達する補強ベルトを縫着した構造を有し、矩形状シートに患者を載せた状態で搬送者が各把手ベルトを握って持ち上げることにより搬送するものであり、矩形状シートの裏面側に設けた補強ベルトが患者の重量を有効に支持することになる（例えば、特許文献１参照）。
【特許文献１】特開平１０−１１８１２１号公報
【発明の開示】
【発明が解決しようとする課題】
【０００４】
上記のような簡易担架は、使い捨てタイプであるので感染予防の推進に効果があり、折りたたみ式によって保管場所をとらないと共に、矩形状シートの大きさを選択することにより、患者搬送時に狭い空間でも無理なく通過できるようになるという利点がある。
【０００５】
ところで、担架を用いたとき、患者に生じている出血等が矩形状シートを表裏に貫通して通路や床に滴下すると、その清掃に手間がかかるだけでなく、感染予防の点からも好ましくなく、従って、担架には、患者の重量に耐えうる強度と同時に、患者に生じた出血等が滴下しないような防水性が要求される。
【０００６】
しかし、従来の簡易担架は、矩形状シートの裏面側に設けた補強ベルトの全長を矩形状シートに縫着した構造になっているので、矩形状シートの裏面側に補強ベルトを縫着した縫い糸が矩形状シートを表裏に貫通し、かつ、この縫い糸の縫い目が矩形状シートの略中央部の幅方向全長にわたって生じている。
【０００７】
このような縫い糸が矩形状シートを表裏に貫通する部分は、矩形状シートの防水性を低下させる部分となり、従って、この縫い糸の貫通部分から患者の出血等が滴下するという問題がある。
【０００８】
そこで、この発明の課題は、矩形状シートの裏面側に補強ベルトを縫い目のない状態で設けることにより、矩形状シートの防水性を維持することができる簡易担架を提供することにある。
【課題を解決するための手段】
【０００９】
上記のような課題を解決するため、この発明は、防水性のある矩形状シートの四隅部と長さ方向の略中央部で両側縁の位置にそれぞれ把手ベルトを設け、前記矩形状シートの裏面側で長さ方向の略中央部の位置に、その両端が両側縁の把手ベルトに達する補強ベルトを、矩形状シートの裏面側と遊離した状態で設けた構成を採用したものである。
【００１０】
上記した各把手ベルトは、ベルトの両端を矩形状シートに縫着してリング状に形成され、上記補強ベルトは、矩形状シートの裏面側に二本が間隔をおいて並列する配置となり、各補強ベルトが両側把手ベルトの対応する端部間に位置し、その両端が矩形状シートの側部に縫着されているようにするのが好ましい。
【００１１】
また、上記矩形状シートは、不織布の裏面にフイルム層を設けて形成されている構造とすることができる。
【００１２】
ここで、上記矩形状シートは、例えば、ＰＰスパンボンド不織布を用いて大人の足が出る程度の長さと大人が納まる幅を有する平面的な大きさと、大人の体重を支持することができる強度に形成され、その裏面側にＰＥラミネートフイルムがコーティングされている。
【発明の効果】
【００１３】
この発明によると、四隅部と長さ方向の略中央部で両側縁の位置にそれぞれ把手ベルトを設けた防水性のある矩形状シートの裏面側で長さ方向の略中央部の位置に、その両端が両側縁の把手ベルトに達する補強ベルトを、矩形状シートの裏面側と遊離した状態で設けたので、矩形状シートの人が載る部位に全く縫い目の発生がなく、矩形状シートの防水性を維持することができるので、患者の出血等が滴下するようなことがなくなり、感染予防を推進することができる。
【００１４】
また、矩形状シートを不織布で形成することにより、折り畳み式となり、保管に場所を取らないと共に、製作コストが安く経済的な面からも使い捨てに対応することができる。
【発明を実施するための最良の形態】
【００１５】
四隅部と長さ方向の略中央部で両側縁の位置にそれぞれ把手ベルトを設けた防水性のある矩形状シートの裏面側で長さ方向の略中央部の位置に、その両端が両側縁の把手ベルトに達する補強ベルトを、矩形状シートの裏面側と遊離した状態で設け、人が載る部位に全く縫い目の発生を無くしている。
【実施例１】
【００１６】
図示のように、簡易担架１は、防水性のある矩形状シート２の四隅部と長さ方向の略中央部で両側縁の位置にそれぞれ把手ベルト３と４を設け、前記矩形状シート２の裏面側で長さ方向の略中央部の位置に、矩形状シート２の幅方向に沿って、その両端が両側縁の把手ベルト４に達する二条の補強ベルト５を、矩形状シート２の裏面側と遊離した状態で設けて形成されている。
【００１７】
このように、補強ベルト５を矩形状シート２の裏面側と遊離した状態で設けてあるので、矩形状シート２の人が載る部位には全く縫い目の発生が無く、矩形状シート２の防水性が維持されている。
【００１８】
上記矩形状シート２は、例えば、ＰＰスパンボンド不織布を用いて大人の足が出る程度の長さと大人が納まる幅を有する平面的な大きさ、一例として１２００ｍｍ×４８０ｍｍの大きさと、大人の体重を支持することができる強度に形成され、その裏面側にコーティングしたＰＥラミネートフイルム６等の防水層によって防水性が付与されている。
【００１９】
上記矩形状シート２は、図３（Ａ）のように、四周縁を裏面側に折り返し、この折り返し部分を縫着することによって仕上げられている。
【００２０】
また、上記した各把手ベルト３と４は、矩形状シート２と同様の材料を用いたベルトの両端を矩形状シート２の周囲折り返し部分に縫着してリング状に形成され、上記補強ベルト５も矩形状シート２と同様の材料を用い、図１（Ｂ）のように、矩形状シート２の裏面側に二本が間隔をおいて並列する配置となり、各補強ベルト５が両側把手ベルト４の対応する端部間に位置し、その両端が矩形状シート２の周囲折り返し部分に縫着され、両側把手ベルト４の対応する端部を連結するような配置となっている。
【００２１】
このような補強ベルト５の配置により、人を載せたとき最も荷重の集中する矩形状シート２の略中央部の荷重支持強度を向上させることになる。
【００２２】
この発明の簡易担架１は、上記のような構成であり、通常は矩形状シート２を嵩低く折り畳んで保管しておき、患者を搬送するときは、矩形状シート２を広げてその上に載せ、図４のように、複数の搬送者が各把手ベルト３と４を握って持ち上げることにより搬送するものであり、矩形状シート２の裏面側に設けた補強ベルト５が患者の重量を有効に支持することになる。
【００２３】
この発明の簡易担架１は、補強ベルト５の両端を除く途中を矩形状シート２の裏面側と遊離した状態で設けてあるので、矩形状シート２の人が載る部位に全く縫い目の発生がなく、搬送時に患者の出血等が滴下するようなことがなくなり、感染予防を推進することができる。
【００２４】
なお、患者の搬送は、図４のような三人での吊り下げで行うと、小回りがきくので廊下や階段等の狭い場所でも通過が容易であるという利点があるが、両側の各把手ベルト３と４に棒を差し込んで二人で運ぶこともできる。
【図面の簡単な説明】
【００２５】
【図１】（Ａ）はこの発明の簡易担架を示す展張状態の平面図、（Ｂ）は同裏面図
【図２】簡易担架を裏面から見上げた状態の斜視図
【図３】（Ａ）は簡易担架の横断面を線図で示した断面図、（Ｂ）は矩形状シートの拡大した断面図
【図４】簡易担架の使用状態を示す斜視図
【符号の説明】
【００２６】
１        簡易担架
２        矩形状シート
３        把手ベルト
４        把手ベルト
５        補強ベルト
６        ＰＥラミネートフイルム
【図１】
2005279184.tif 000003
【図２】
2005279184.tif 000004
【図３】
2005279184.tif 000005
【図４】
2005279184.tif 000006